(57)【要約】【課題】ＩＭＳ網等の所定のＩＰ網に複数の網が接続されたネットワークにおいて、呼制御装置の処理負荷を軽減するとともに、適切に接続先のドメインを切り替えることを可能とする。【解決手段】所定のＩＰ網にパケット交換網と回線交換網とが接続されて構成されたネットワークにおける前記ＩＰ網に備えられた呼制御装置において、発端末から呼接続要求信号を受信し、当該呼接続要求信号を前記パケット交換網経由で着端末に送信する呼接続要求信号送信手段と、前記着端末から前記パケット交換網経由で応答信号を受信し、当該応答信号が網切替を通知する網切替制御信号であるか否かを判定する網切替判定手段と、前記応答信号が前記網切替制御信号であると判定された場合に、前記発端末と前記着端末間で前記回線交換網を経由した呼接続を行うための呼接続要求信号を前記回線交換網経由で前記着端末に送信する網切替手段と、を備える。【選択図】図６
2013046301.tif 000002
【特許請求の範囲】
【請求項１】
所定のＩＰ網にパケット交換網と回線交換網とが接続されて構成されたネットワークにおける前記ＩＰ網に備えられた呼制御装置であって、
前記ＩＰ網に接続された発端末から呼接続要求信号を受信し、当該呼接続要求信号を前記パケット交換網経由で着端末に送信する呼接続要求信号送信手段と、
前記着端末から前記パケット交換網経由で応答信号を受信し、当該応答信号が網切替を通知する網切替制御信号であるか否かを判定する網切替判定手段と、
前記応答信号が前記網切替制御信号であると判定された場合に、前記発端末と前記着端末間で前記回線交換網を経由した呼接続を行うための呼接続要求信号を前記回線交換網経由で前記着端末に送信する網切替手段と、
を備えることを特徴とする呼制御装置。
【請求項２】
前記呼接続要求信号送信手段は、前記発端末から受信した前記呼接続要求信号に含まれるサービスに関する情報による網選択処理を行うことなく、前記呼接続要求信号を前記パケット交換網経由で前記着端末に送信する
ことを特徴とする請求項１に記載の呼制御装置。
【請求項３】
前記網切替判定手段により、前記応答信号が網切替制御信号でないと判定された場合に、前記呼制御装置は、前記応答信号を前記発端末に送信する
ことを特徴とする請求項１又は２に記載の呼制御装置。
【請求項４】
前記網切替制御信号は、ＳＩＰの３８０応答信号であることを特徴とする請求項１ないし３のうちいずれか１項に記載の呼制御装置。
【請求項５】
前記３８０応答信号は、ＸＭＬに基づき記述された制御情報を含み、前記網切替手段は、当該制御情報に基づいて、前記呼接続要求信号を前記回線交換網経由で前記着端末に送信する
ことを特徴とする請求項４に記載の呼制御装置。
【請求項６】
所定のＩＰ網にパケット交換網と回線交換網とが接続されて構成されたネットワークにおける前記ＩＰ網に備えられた呼制御装置が実行する呼制御方法であって、
前記ＩＰ網に接続された発端末から呼接続要求信号を受信し、当該呼接続要求信号を前記パケット交換網経由で着端末に送信する呼接続要求信号送信ステップと、
前記着端末から前記パケット交換網経由で応答信号を受信し、当該応答信号が網切替を通知する網切替制御信号であるか否かを判定する網切替判定ステップと、
前記応答信号が前記網切替制御信号であると判定された場合に、前記発端末と前記着端末間で前記回線交換網を経由した呼接続を行うための呼接続要求信号を前記回線交換網経由で前記着端末に送信する網切替ステップと、
を備えることを特徴とする呼制御方法。
【請求項７】
コンピュータを、請求項１ないし５のうちいずれか１項に記載の呼制御装置の各手段として機能させるための呼制御プログラム。
【発明の詳細な説明】
【技術分野】
【０００１】
本発明は、ＩＭＳ（IP Multimedia subsystem）網にＰＳ（Packet Switching）ドメイン及びＣＳ(Circuit Switching)ドメイン等の網が接続されたネットワークにおける上記ＩＭＳ網の呼制御装置に関するものである。
【背景技術】
【０００２】
ネットワーク事業者(一般に電話会社) が提供するネットワーク１０の構成の例を図１に示す。図１に示すように、このネットワーク１０は、マルチメディア呼の呼制御を行うＩＭＳ網１１に、パケット交換（ＰＳ：Packet Switching）呼を処理するネットワークであるＰＳドメイン１２と、回線交換（ＣＳ：Circuit Switching）呼を処理するネットワークであるＣＳドメイン１３とが接続されて構成されている。なお、ＩＭＳ、ＰＳドメイン、ＣＳドメインについては、例えば非特許文献１に記載されている。
【０００３】
ＩＭＳ網１１では、ＳＩＰプロトコル（非特許文献２）により呼制御が行われていることから、ＩＭＳ網１１にはＳＩＰプロトコルにより呼制御を行う呼制御装置２０が備えられている。また、図１に示す例では、発端末１がＩＭＳ網１１に接続され、着端末２がＰＳドメイン１２とＣＳドメイン１３に接続されている、すなわち、着端末２は、ＰＳドメイン１２経由の通信とＣＳドメイン１３経由の通信の両方をサポートする端末である。
【０００４】
このネットワーク構成における従来の技術では、発端末１から着端末２に対して呼接続要求を行う場合、呼制御装置２０にて、呼接続要求信号 （具体的にはＳＩＰ信号）の内容に応じて、どのドメインで着信させるか判断し、そのドメイン経由で呼接続要求を行って通信を行う。これを図２及び図３を参照して具体的に説明する。
【０００５】
図２は、呼接続要求に係るサービスがＰＳドメイン１２を利用するサービス（本例では、非音声サービスとする）である場合の通信接続の手順を示す図である。図２に示すように、発端末１が呼接続要求信号を送信すると（ステップ１）、ＩＭＳ網１１の呼制御装置２０が呼接続要求信号を受信する。呼接続要求信号を受信した呼制御装置２０は、呼接続要求信号の中のメディアに関する情報（サービスに関する情報）を参照することにより、当該呼接続要求信号が非音声サービスの通信要求であることを把握し、呼接続要求信号をＰＳドメイン１２経由で転送することを決定し（ステップ２）、呼接続要求信号をＰＳドメイン１２経由で着端末２に転送する（ステップ３）。そして、着端末２から発端末１にＳＩＰの応答信号が返され（ステップ４、５）、発端末１と着端末２との間で非音声サービスの通信が行われる（ステップ６）。
【０００６】
図３は、呼接続要求に係るサービスがＣＳドメイン１２を利用するサービス（本例では、音声サービスとする）である場合の通信接続の手順示す図である。図３に示すように、発端末１が呼接続要求信号を送信すると（ステップ１１）、ＩＭＳ網１１の呼制御装置２０が呼接続要求信号を受信する。呼接続要求信号を受信した呼制御装置２０は、呼接続要求信号の中のメディアに関する情報を参照することにより、当該呼接続要求信号が音声サービスの通信要求であることを把握し、呼接続要求信号をＣＳドメイン１３経由で転送することを決定し（ステップ１２）、呼接続要求信号をＣＳドメイン１３経由で着端末２に転送する（ステップ１３）。そして、着端末２から発端末１に応答信号が返され（ステップ１４、１５）、発端末１と着端末２との間で音声サービスの通信が行われる（ステップ１６）。
【先行技術文献】
【非特許文献】
【０００７】
【非特許文献１】3GPP TS23.002 V10.2.0 （２０１１年３月)
【非特許文献２】IETF RFC3261（２００２年６月）
【非特許文献３】IETF draft-bakker-sipping-3gpp-ims-xml-body-handling-06（２０１１年２月２２日）
【非特許文献４】3GPP TS 24.229 V10.3.0 (２０１１年３月)
【発明の概要】
【発明が解決しようとする課題】
【０００８】
しかしながら、上述した従来の技術には、以下のような課題がある。
【０００９】
上記のように、呼制御装置２０は、呼接続要求信号における、本来発着の両端末間でのみやり取りするべきメディアに関する情報 (具体的には、SDPの情報)を確認し、経由させつドメインを振り分けている。
【００１０】
メディアに関する情報は、呼接続要求信号における呼接続制御に関する部分（ヘッダ等）以外の部分（ボディ部等）に記述されている。従って、従来技術における処理を行う呼制御装置２０は、呼接続要求信号の詳細な内容を確認し、更に、それに基づいたルーティング選択を行わなければならず、そのため呼制御装置２０の負荷増大につながるという問題がある。特に、今後はＰＳドメイン経由の各種サービスが増えていくと予想されるため、大半がＰＳドメインを選択することになる可能性があり、ほとんど同じ判定結果を出す処理のための負荷が増大することになり、非効率である。
【００１１】
また、従来の技術では、呼接続要求信号の中のメディアの情報が特定の情報（音声サービス等）の場合、ＩＭＳ網側で一律に判断しＣＳドメインを選択してしまうため、端末の能力等に応じてＰＳドメイン経由で通信することができないという課題もある。すなわち、端末のみが知りえる情報や、ユーザの要望に応じたＰＳドメインとＣＳドメインの使い分けを行うことができない。
【００１２】
ここで、端末の能力や端末の各種条件に応じてドメインを選択するには、NW事業者の網が、利用可能ドメイン等に関わる端末の能力や端末の各種条件を完全に把握している必要があるが、従来の技術では端末の能力等を網側で完全に保持できるとは限らないため、端末の能力等に基づき網側で適切なドメインを選択することは従来技術では困難であった。
【００１３】
本発明は上記の点に鑑みてなされたものであり、ＩＭＳ網等の所定のＩＰ網にＰＳドメイン及びＣＳドメイン等の網が接続されたネットワークにおいて、呼制御装置の処理負荷を軽減するとともに、網側で端末の能力等を保持できない環境であっても、端末の能力等に応じて接続先のドメインを切り替えることを可能とした技術を提供することを目的とする。
【課題を解決するための手段】
【００１４】
上記の課題を解決するために、本発明は、所定のＩＰ網にパケット交換網と回線交換網とが接続されて構成されたネットワークにおける前記ＩＰ網に備えられた呼制御装置であって、
前記ＩＰ網に接続された発端末から呼接続要求信号を受信し、当該呼接続要求信号を前記パケット交換網経由で着端末に送信する呼接続要求信号送信手段と、
前記着端末から前記パケット交換網経由で応答信号を受信し、当該応答信号が網切替を通知する網切替制御信号であるか否かを判定する網切替判定手段と、
前記応答信号が前記網切替制御信号であると判定された場合に、前記発端末と前記着端末間で前記回線交換網を経由した呼接続を行うための呼接続要求信号を前記回線交換網経由で前記着端末に送信する網切替手段と、を備えることを特徴とする呼制御装置として構成される。
【００１５】
また、本発明は、所定のＩＰ網にパケット交換網と回線交換網とが接続されて構成されたネットワークにおける前記ＩＰ網に備えられた呼制御装置が実行する呼制御方法であって、
前記ＩＰ網に接続された発端末から呼接続要求信号を受信し、当該呼接続要求信号を前記パケット交換網経由で着端末に送信する呼接続要求信号送信ステップと、
前記着端末から前記パケット交換網経由で応答信号を受信し、当該応答信号が網切替を通知する網切替制御信号であるか否かを判定する網切替判定ステップと、
前記応答信号が前記網切替制御信号であると判定された場合に、前記発端末と前記着端末間で前記回線交換網を経由した呼接続を行うための呼接続要求信号を前記回線交換網経由で前記着端末に送信する網切替ステップと、を備えることを特徴とする呼制御方法として構成してもよい。
【発明の効果】
【００１６】
本発明によれば、ＩＭＳ網等の所定のＩＰ網にＰＳドメイン及びＣＳドメイン等の網が接続されたネットワークにおいて、呼制御装置の処理負荷を軽減するとともに、網側で端末の能力等を保持できない環境であっても、端末の能力等に応じて接続先のドメインを切り替えることが可能となる。
【図面の簡単な説明】
【００１７】
【図１】ネットワーク事業者のネットワーク構成例を示す図である。
【図２】ＰＳドメイン１２を利用するサービスについての従来の通信接続手順を示す図である。
【図３】ＣＳドメイン１２を利用するサービスについての従来の通信接続手順を示す図である。
【図４】本発明の実施の形態に係る呼制御装置２００の機能構成図である。
【図５】ＰＳドメイン１２を利用するサービスについての本発明の実施の形態に係る通信接続手順を示す図である。
【図６】ＣＳドメイン１３を利用するサービスについての本発明の実施の形態に係る通信接続手順を示す図である。
【図７】ドメイン切替制御信号としての３８０応答信号のボディ部に記述されるXMLに基づく制御情報の例を示す図である。
【発明を実施するための形態】
【００１８】
以下、図面を参照しながら本発明の実施の形態を説明するが、本発明は下記の実施の形態に限定されるものではない。また、本実施の形態では、ＩＭＳ網を用いているが、本発明はＩＭＳ網以外のＩＰ網にも適用可能である。また、本実施の形態では、パケット網等における呼制御信号としてＳＩＰ信号を用いるが、本発明において適用可能な呼制御プロトコルはＳＩＰに限定されるわけではない。また、以下で説明するドメインとは複数の装置からなるネットワークに相当するので、網と呼んでもよい。
【００１９】
（装置構成）
本実施の形態における全体のネットワークのシステム構成は図１に示した構成と同じであるが、本実施の形態では、ＩＭＳ網１１側に備えられる呼制御装置２００の機能が従来の呼制御装置２０の機能と異なる。また、着端末２において機能追加がされている。
【００２０】
図４に、本実施の形態に係る呼制御装置２００の機能構成図を示す。図４に示すように、本実施の形態に係る呼制御装置２００は、ＰＳドメイン通信部２１０、ＣＳドメイン通信部２２０、呼制御部２３０を備える。
【００２１】
ＰＳドメイン通信部２１０は、ＰＳドメイン１２で用いられるプロトコルにより、ＰＳドメイン１２を介して着端末２と呼制御信号の送受信を行う機能部である。ＣＳドメイン通信部２２０は、ＣＳドメイン１３で用いられるプロトコルにより、ＣＳドメイン１３を介して着端末２と呼制御信号の送受信を行う機能部である。
【００２２】
呼制御部２３０は、ＩＭＳ網１１に接続された端末や、各ドメインに接続された端末等との間で呼制御信号を送受信することにより、端末の呼接続制御を行う機能部である。呼接続制御の基本的な機能は従来技術と同様である。ただし、本実施の形態の呼制御部２３０は、ＩＭＳ網１１に接続される発端末１から受信した呼接続要求信号におけるメディアの情報を参照して経由ドメインを判断する動作を行わず、ＩＭＳ網１１に接続される発端末１から受信した呼接続要求信号を一律にＰＳドメイン経由（つまり、ＰＳドメイン通信部２１０経由）で着端末２に転送する動作を行う。
【００２３】
また、本実施の形態の呼制御部２３０は、ドメイン切替判断部２３１を備えている。ドメイン切替判断部２３１は、着端末２からＰＳドメイン１２経由で受信したＳＩＰ応答信号が、ドメイン切替制御信号であるか否かを判定し、ドメイン切替制御信号であると判定した場合に、通信の利用ドメインを切り替えて、ＣＳドメイン１３経由で呼接続要求信号を着端末２に送信する機能を備える。なお、ドメイン切替判断部２３１により、着端末２からＰＳドメイン１２経由で受信したＳＩＰ応答信号が、ドメイン切替制御信号であるか否かを判定し、その判定結果に基づき、呼制御部２３０が信号送信（ドメイン切替後の呼接続要求信号又は通常のＳＩＰ応答信号送信）を行う構成としてもよい。
【００２４】
ドメイン切替制御信号は、ＳＩＰ信号における内容（ボディ部等）まで解析することなくドメイン切替制御信号であるか否かを判別できるＳＩＰ信号であればよい。例えば、ＳＩＰ信号の先頭の行（ステータス行等）でドメイン切替制御信号であるか否かを判別できることが処理を軽減する観点から好ましい。後述するように、本実施の形態では、ドメイン切替制御信号として、例えばＳＩＰの３８０応答信号を用いる。３８０応答信号であるか否かは、ステータス行にステータスコードである３８０があるか否かで判別できる。
【００２５】
すなわち、呼制御装置２００は、ＩＭＳ網等の所定のＩＰ網にパケット交換網と回線交換網とが接続されて構成されたネットワークにおける前記ＩＰ網に備えられた呼制御装置であって、前記ＩＰ網に接続された発端末から呼接続要求信号を受信し、当該呼接続要求信号を前記パケット交換網経由で着端末に送信する呼接続要求信号送信手段と、前記着端末から前記パケット交換網経由で応答信号を受信し、当該応答信号が網切替を通知する網切替制御信号であるか否かを判定する網切替判定手段と、前記応答信号が前記網切替制御信号であると判定された場合に、前記発端末と前記着端末間で前記回線交換網を経由した呼接続を行うための呼接続要求信号を前記回線交換網経由で前記着端末に送信する網切替手段と、を備える呼制御装置である。
【００２６】
また、前記呼接続要求信号送信手段は、前記発端末から受信した前記呼接続要求信号に含まれるサービスに関する情報による網選択処理を行うことなく、前記呼接続要求信号を前記パケット交換網経由で前記着端末に送信する。ここで、前記網切替判定手段により、前記応答信号が網切替制御信号でないと判定された場合に、前記呼制御装置は、前記応答信号を前記発端末に送信する。また、前記網切替制御信号は、ＳＩＰの３８０応答信号であってもよく、その場合の３８０応答信号は、後述するようにＸＭＬに基づき記述された制御情報を含み、前記網切替手段は、当該制御情報に基づいて、前記呼接続要求信号を前記回線交換網経由で前記着端末に送信する。
【００２７】
本実施の形態に係る呼制御装置２００は、ＣＰＵ、メモリ、通信デバイス等から構成されるコンピュータに、本実施の形態で説明する機能に対応したプログラムを実行させることにより実現可能である。すなわち、呼制御装置２００の各機能部は、当該呼制御装置２００を構成するコンピュータに内蔵されるＣＰＵやメモリなどのハードウェア資源を用いて、各機能部で実施される処理に対応するプログラムを実行することによって実現することが可能である。
【００２８】
また、呼制御装置２００は、１つの装置（コンピュータ）で実現してもよいし、複数の装置で実現してもよい。例えば、呼制御部２３０を１つのコンピュータ（及びプログラム）で実現し、ＰＳドメイン通信部２１０とＣＳドメイン通信部２２０をそれぞれ別の装置で実現することもできる。なお、呼制御装置２００が複数の装置で実現される場合であっても、複数の装置全体で本実施の形態に係る呼制御装置２００が構成されるものとする。
【００２９】
上記プログラムは、コンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＢＤ（Ｂｌｕ−ｒａｙ  Ｄｉｓｋ）−ＲＯＭ、ＣＤ−Ｒ、ＣＤ−ＲＷ、ＤＶＤ−Ｒ、ＤＶＤ−ＲＷ、ＢＤ−Ｒ、ＢＤ−ＲＥ、ＨＤＤ、リムーバブルディスクなどに記録して、保存したり、配布したりすることが可能である。また、上記プログラムをインターネットや電子メールなど、ネットワークを通して提供することも可能である。
【００３０】
なお、本実施の形態における着端末２は、ＩＭＳ網１１及びＰＳドメイン１２を経由して受信した呼接続要求信号に含まれる制御情報（例えばメディアの情報等）に基づいて、ＣＳドメイン１３での通信に切り替えるかどうかを判断し、ＣＳドメイン１３での通信に切り替えると判断した場合に、ＳＩＰの応答信号としてドメイン切替制御信号をＰＳドメイン１２経由で呼制御装置２００に送信する機能を備えている。このドメイン切替制御信号には、そのボディ部に、ＣＳドメイン１３での接続を再度行うことを通知するための制御情報が含められる。
（システムの動作）
次に、図５、図６を参照して、本実施の形態に係るシステムの動作例を説明する。
【００３１】
最初に、図５を参照して、呼接続要求に係るサービスがＰＳドメイン１２を利用するサービス（本例では、非音声サービスとする）である場合の通信接続の手順を説明する。
【００３２】
まず、発端末１が呼接続要求信号（ＳＩＰセッション要求信号）を送信すると（ステップ１０１）、ＩＭＳ網１１の呼制御装置２００が呼接続要求信号を受信する。呼制御装置２００は、発端末１から受信した呼接続要求信号におけるメディアに基づくドメインの選択処理を行わずに、予め定められた転送経路であるＰＳドメイン１２を経由して、呼接続要求信号を着端末２に転送する（ステップ１０２）。
【００３３】
図５の例では、要求に係るサービスが、ＰＳドメイン経由で利用されるサービスであるため、着端末２は、切り替えを行わないと判断し、従来と同様のＳＩＰ応答信号を返す（ステップ１０３）。
【００３４】
ＳＩＰ応答信号を受信した呼制御装置２００は、ドメイン切替判断部２３１において、ＳＩＰ応答信号はドメイン切替制御信号でないことを確認し（ステップ１０４）、ドメイン切替を行わないと判断し、ＳＩＰ応答信号は発端末１に送られる（ステップ１０５）。これにより、発端末１と着端末２との間で非音声サービスの通信が行われる（ステップ１０６）。
【００３５】
次に、図６を参照して、呼接続要求に係るサービスがＣＳドメイン１３を利用するサービス（本例では、音声サービスとする）である場合の通信接続の手順を説明する。
【００３６】
まず、発端末１が呼接続要求信号（ＳＩＰセッション要求信号）を送信すると（ステップ２０１）、ＩＭＳ網１１の呼制御装置２００が呼接続要求信号を受信する。呼接続装置２００は、発端末１から受信した呼接続要求信号におけるメディアに基づくドメインの選択処理を行わずに、予め定められた転送経路であるＰＳドメイン１２を経由して、呼接続要求信号を着端末２に転送する（ステップ２０２）。
【００３７】
呼接続要求信号を受信した着端末２は、呼接続要求信号の中のメディアの情報等から、接続要求されているサービスが、ＣＳドメイン１３経由で利用される音声サービスであることを把握し、ドメイン切り替えを行うと判断し、ドメイン切替制御信号をＰＳドメイン１２経由で呼制御装置２００に送信する（ステップ２０３）。
【００３８】
ドメイン切替制御信号を受信した呼制御装置２００は、ドメイン切替判断部２３１において、ＳＩＰ応答信号がドメイン切替制御信号であることを確認し、ドメイン切替制御を行うと判断し（ステップ２０４）、ＣＳドメイン１３に対応したプロトコルにより、ＣＳドメイン１２経由で呼接続要求信号（発端末１と着端末２間で呼接続を行うことを要求する信号）を着端末２に送信する（ステップ２０５）。ここでの呼接続要求信号の内容は、従来技術において、音声サービスの呼接続を行う場合に、呼制御装置２０から着端末２に送信される呼接続要求信号の内容と同様である。
【００３９】
上記の呼接続要求信号を受信した着端末２は、ＣＳドメイン１３経由で応答信号を返す（ステップ２０６）。この応答信号を受信した呼制御装置２００は、ＳＩＰ応答信号を発端末１に返す（ステップ２０７）。これにより、発端末１と着端末２間で音声サービスの通信が行われる（ステップ２０８）。
【００４０】
（ドメイン切替制御信号について）
本実施の形態では、前述したドメイン切替制御信号として、例えば、ＳＩＰの３８０応答信号を用いる。３８０応答信号はＳＩＰの規格（非特許文献２）において、Alternative Service（代替サービス）として規定された信号である。
【００４１】
この場合、着端末２において、ドメイン切替制御信号としての３８０応答信号のボディ部に、XMLの規定に従った、ＣＳドメイン１３での接続を再度行うように通知するための制御情報が含められ、当該３８０応答信号を受信した呼制御装置２００において、ドメイン切替判断部２３１がこの制御情報（XMLの内容）に基づいて、ＣＳドメイン１３経由となるよう通信経路を切り替え、以後は既存技術と同様に改めて着端末２への呼接続要求を行う。
【００４２】
３８０応答信号にXMLを用いて、端末の通信をＣＳドメインへ切り換えさせることは、非特許文献３や非特許文献４に記載されている。 本実施の形態でも、これらの文献に記載されたＸＭＬの記述を用いることができる。すなわち、着端末２から呼制御装置２００にＰＳドメイン１２経由で送信される３８０応答信号に含めるＸＭＬに基づく制御情報として、図７に示す制御情報を含めることができる。この情報は、上記の各文献において、端末（ＵＥ）に、ＣＳドメイン経由の緊急通信への切り替えを行わせるための制御情報として規定されているものであり、本実施の形態ではこの制御情報を用いることが可能である。もちろん、制御情報は図７に示すものに限るわけではなく、図７に示す情報は一例に過ぎない。
【００４３】
また、呼制御装置２００が、３８０応答信号をＳＩＰ応答信号として受信したときには、ＣＳドメイン経由の切替を行うものと予め決めておくことにより、ＸＭＬの制御情報を参照することなく、ドメイン切替を行うこととしてもよい。また、本実施の形態では、ＩＭＳ網１１に接続される網（ドメイン）としてＰＳドメイン１２とＣＳドメイン１３の２つを例に挙げたが、接続されるドメインは２つに限らず、２つより多くてもよい。この場合、ＸＭＬの制御情報として、どのドメインへの切り替えを行うかを示す情報を設定し（着端末２により設定される）、呼制御部２３０が当該制御情報を解釈し、利用ドメインを決定することで、複数のドメインの中から着端末２が希望するドメイン経由の通信を行うことが可能となる。
【００４４】
なお、本実施の形態のように、端末側でドメイン切替のための３８０応答信号を生成及び送信し、ネットワーク側で３８０応答信号を受信し、それに応じてドメイン切り替えのための呼制御を行うことはいずれの非特許文献にも記載されていない。
【００４５】
（実施の形態の効果）
本実施の形態で説明した技術を用いることにより、通信事業者のＩＭＳ網内から、最初の着信先ドメインの判定ロジックを省略することができ、切り替えが必要な場合のみ呼制御装置がルーティング変更にかかわる処理を行うことになるため、呼制御装置の負荷低減を実現できる。
【００４６】
また、今後、ＰＳドメイン経由で行う通信の比率がますます高くなることが予想されるところ、ＰＳドメイン経由で行う通信の比率が高いほど、ＣＳドメイン経由に切り替えるケースが減るため、判定ロジックを省略して必要な場合だけ切り替え処理を行う本実施の形態の方式では効率的に負荷低減を行うことが可能となり、システム全体の効率化につながる。
【００４７】
更に、本実施の形態によれば、NW事業者のネットワークが、端末の能力を保持できない環境であっても、端末からの制御情報に基づき着信先ドメインを変更できるようにすることができる。すなわち、事前設定による一律の設定・切り替えが行われる方式から、柔軟に呼接続ごとに切り替えが実現できる方式となる。
【００４８】
本発明は、上記の実施の形態に限定されることなく、特許請求の範囲内において、種々変更・応用が可能である。
【符号の説明】
【００４９】
１  発端末
２  着端末
１０  ネットワーク
１１  ＩＭＳ網
１２  ＰＳドメイン
１３  ＣＳドメイン
２０、２００  呼制御装置
２１０  ＰＳドメイン通信部
２２０  ＣＳドメイン通信部
２３０  呼制御部
２３１  ドメイン切替判断部
【図１】
2013046301.tif 000003
【図２】
2013046301.tif 000004
【図３】
2013046301.tif 000005
【図４】
2013046301.tif 000006
【図５】
2013046301.tif 000007
【図６】
2013046301.tif 000008
【図７】
2013046301.tif 000009